(57)【特許請求の範囲】
【請求項１】
２つ以上のＬＥＤ光源（２，３，４）を含むＬＥＤ投影モジュール（１）であって、
各ＬＥＤ光源（２，３，４）はそれぞれ、１つまたは複数の発光ダイオードから成り、
各ＬＥＤ光源（２，３，４）は、それらにそれぞれ割り当てられた光入力結合箇所（２１，３１，４１）を介して光を光導体（２０，３０，４０）に入力結合し、
光は、前記光導体（２０，３０，４０）から前記光導体（２０，３０，４０）の光出射面（２２，３２，４２）を介して出射し、
前記出射した光は、投影レンズ（９０）によって、少なくとも１つの光分布を形成するために外部空間に投影される、ＬＥＤ投影モジュールにおいて、
個々のＬＥＤ光源（２，３，４）に対する前記光導体（２０，３０，４０）は、水平方向に横に並んで配置されており、直接互いに相接し、または１つの共通の全体光−光導体（１００）を形成し、これにより隣接する光導体（２０，３０，４０）の間で光が漏れ込むことができ、
個々の前記光出射面（２２，３２，４２）は並置されており、かつ１つの全体光−光出射面（１１０）を形成し、
前記全体光−光出射面（１１０）内では個々の前記光出射面（２２，３２，４２）の間に１つまたは複数の凹部（２０１，２０２）が設けられており、当該凹部はそれぞれ、前記全体光−光出射面（１１０）の高さ広がりの少なくとも一部分に亘って延在している、ことを特徴とするＬＥＤ投影モジュール。
【請求項２】
中央光導体群には少なくとも１つの中央光導体（４０）が設けられており、かつ前記中央光導体群の左右には、それぞれ１つの左光導体群と右光導体群が設けられており、
前記左および／または右光導体群はそれぞれ、所属のＬＥＤ光源（２，３）を備える少なくとも１つの光導体（２０，３０）を含む、ことを特徴とする請求項１に記載のモジュール。
【請求項３】
前記中央光導体群はちょうど１つの前記中央光導体（４０）を含む、ことを特徴とする請求項２に記載のモジュール。
【請求項４】
前記左および／または右光導体群はそれぞれちょうど１つの光導体（２０，３０）を含む、ことを特徴とする請求項２または３に記載のモジュール。
【請求項５】
前記中央光導体群の中央光導体（４０）の少なくとも１つのＬＥＤ光源（４）の光は、前記中央光導体（４０）から、とりわけ前記中央光導体（４０）の光入射面（４１）から前記モジュールの光軸に対して実質的に平行に向けられる、ことを特徴とする請求項２から４のいずれか１項に記載のモジュール。
【請求項６】
側方光導体群の少なくとも１つのＬＥＤ光源（２，３）は、光を０゜とは異なる角度の下で前記モジュールの光軸に向け、所属の光導体（２０，３０）に供給する、ことを特徴とする請求項２から５のいずれか１項に記載のモジュール。
【請求項７】
２つの光出射面（３２，４２；２２，４２）の間にある少なくとも１つの凹部（２０１，２０２）が、並置された前記光導体（２０，３０，４０）の下方境界面から、ないし前記全体光−光導体（１００）の下方境界面（１３０）から上方に向かって離れるように延在する、ことを特徴とする請求項１から６のいずれか１項に記載のモジュール。
【請求項８】
２つの光出射面（３２，４２；２２，４２）の間にある前記凹部（２０１，２０２）は、前記並置された光導体（２０，３０，４０）の上方境界面まで、ないし前記全体光−光導体（１００）の上方境界面（１２０）まで完全には延在しておらず、これにより前記並置された光導体ないし前記全体光−光導体（１００）の上方領域には連続したエッジ（１２１）が得られ、または
２つの光出射面（３２，４２；２２，４２）の間にある前記凹部（２０１，２０２）は、前記並置された光導体（２０，３０，４０）の上方境界面ないし前記全体光−光導体（１００）の上方境界面（１２０）まで完全に延在している、ことを特徴とする請求項１から７のいずれか１項に記載のモジュール。
【請求項９】
前方領域、すなわち前記光出射面（２２，３２，４２）の領域にある少なくとも１つの凹部（２０１，２０２）は規定の幅を有し、前記少なくとも１つの凹部（２０１，２０２）は、後方に向かって前記光出射面（２２，３２，４２）から離れる方向に先細である、ことを特徴とする請求項１から８のいずれか１項に記載のモジュール。
【請求項１０】
前記規定の幅は、前記少なくとも１つの凹部（２０１，２０２）の全高に亘って一定であることを特徴とする請求項９に記載のモジュール。
【請求項１１】
前記少なくとも１つの凹部（２０１，２０２）を画定する壁（２０１’，２０１”；２０２’，２０２”）が重なって延在する、ことを特徴とする請求項９または１０に記載のモジュール。
【請求項１２】
前記壁（２０１’，２０１”；２０２’，２０２”）が１つの尖ったエッジ（２０１’”、２０２’”）に合流する、ことを特徴とする請求項１１に記載のモジュール。
【請求項１３】
前記凹部（２０１，２０２）の内側の壁（２０１”，２０２”）、すなわち少なくとも１つの中央光導体（４０）を備える中央光導体群に向いた側の前記凹部（２０１，２０２）の壁は平坦に構成されている、ことを特徴とする請求項１１または１２に記載のモジュール。
【請求項１４】
前記内側の壁（２０１”，２０２”）、すなわち前記中央光導体群に向いた側の前記凹部（２０１，２０２）の壁は垂直面として構成されている、ことを特徴とする請求項１３に記載のモジュール。
【請求項１５】
前記凹部（２０１，２０２）の外側の壁（２０１’，２０２’）は湾曲して構成されている、ことを特徴とする請求項１から１４のいずれか１項に記載のモジュール。
【請求項１６】
前記凹部（２０１，２０２）の外側の壁（２０１’，２０２’）は前記凹部（２０１，２０２）の内側の壁（２０１”，２０２”）から離れるように湾曲している、ことを特徴とする請求項１５に記載のモジュール。
【請求項１７】
少なくとも１つの前記凹部（２０１，２０２）は、すなわちその形状および／または後方へのその広がりの長さは、右／左光導体群ないし、少なくとも１つの右／左光導体（２０，３０）からの光が、左／右光導体群ないし、少なくとも１つの左／右光導体（３０，２０）に入り込むことができないように単数ないし複数の前記光出射面（２２，３２，４２）から離れるように構成されている、ことを特徴とする請求項２から１６のいずれか１項に記載のモジュール。
【請求項１８】
少なくとも１つの前記凹部（２０１，２０２）は、すなわちその形状および／または後方へのその広がりの長さは、少なくとも１つの中央光導体（４０）を備える中央光導体群ないし前記少なくとも１つの中央光導体（４０）からの光が、前記中央光導体群の左に設けられる左光導体群ないし前記中央光導体群の右に設けられる右光導体群または少なくとも１つの左光導体ないし少なくとも１つの右光導体（２０，３０）に入り込むことができないように単数ないし複数の前記光出射面（２２，３２，４２）から離れるように構成されている、ことを特徴とする請求項２から１７のいずれか１項に記載のモジュール。
【請求項１９】
前記全体光−光導体（１００）は、前記光出射面（２２，３２，４２）とは反対側のその裏面において、外側光源（２，３）からの光線が、別の外側ＬＥＤ光源（３，２）に割り当てられた光出射面（３２，２２）を通って出射することができないように構成されている、ことを特徴とする請求項１から１８のいずれか１項に記載のモジュール。
【請求項２０】
前記全体光−光導体（１００）は、前記光出射面（２２，３２，４２）の反対側に裏側凹部（７０）を設け、前記裏側凹部（７０）は前記別の外側ＬＥＤ光源（３，２）に割り当てられた光導体（３０，２０）に達することとなる前記外側ＬＥＤ光源（２，３）からの光をブロックする、ことを特徴とする請求項１９に記載のモジュール。
【請求項２１】
前記光導体ないし前記全体光−光導体によってハイビーム分布ないし部分ハイビーム分布が形成可能である、ことを特徴とする請求項１から２０のいずれか１項に記載のモジュール。
【請求項２２】
前記光導体（２０，３０，４０）ないし前記全体光−光導体（１００）の上方には少なくとも１つのＬＥＤ光源（５，６）が配置されており、該ＬＥＤ光源は光を少なくとも１つの光学系、たとえば反射器（７，８）に向けて放射し、
前記少なくとも１つの光学系、たとえば少なくとも１つの反射器（７，８）から放射された光が前記投影レンズ（９０）の下方領域に照射され、
前記全体光−光出射面（１１０）を画定する上方エッジ（１２１）が、明暗境界として光像中に結像される、ことを特徴とする請求項１から２１のいずれか１項に記載のモジュール。
【請求項２３】
それぞれ１つの反射器（７，８）が割り当てられた２つのＬＥＤ光源（５，６）が設けられている、ことを特徴とする請求項２２に記載のモジュール。
【請求項２４】
前記光導体ないし前記全体光−光導体（１００）の上側（１２０）および／または下側（１３０）は、少なくとも領域的に光反射性に構成されている、ことを特徴とする請求項２２または２３に記載のモジュール。
【請求項２５】
前記エッジ（１２１）は、ロービーム分布のための明暗境界を形成するように構成されている、ことを特徴とする請求項２２から２４のいずれか１項に記載のモジュール。
【請求項２６】
請求項１から２５のいずれか１項に記載のモジュールを１つまたは複数備える前照灯。
【請求項２７】
少なくとも１つの前記モジュールが、実質的に垂直軸周りに旋回可能である、ことを特徴とする請求項２６に記載の前照灯。
【請求項２８】
全てのモジュールが、実質的に垂直軸周りに旋回可能である、ことを特徴とする請求項２７に記載の前照灯。
【請求項２９】
１つまたは複数のモジュールの投影レンズが、それぞれ垂直軸周りに旋回可能である、ことを特徴とする請求項２７または２８に記載の前照灯。
【請求項３０】
前記垂直軸は、前記投影レンズの焦点を通って延在する、ことを特徴とする請求項２９に記載の前照灯。
【発明の詳細な説明】
【技術分野】
【０００１】
本発明は、２つまたはそれ以上のＬＥＤ光源を含むＬＥＤ投影モジュールに関するものであり、各ＬＥＤ光源はそれぞれ１つまたは複数の発光ダイオードから成り、各ＬＥＤ光源は、それぞれこれに割り当てられた光入力結合箇所を介して光を光導体に入力結合し、光は、前記光導体から当該光導体の光出力結合箇所を介して出射し、前記出射した光は、投影レンズによって少なくとも１つの光分布を形成するために外部空間に投影される。
【０００２】
さらに本発明は、１つまたは複数のそのようなモジュールを備える前照灯に関するものである。
【背景技術】
【０００３】
光分布、たとえばハイビーム分布またはロービーム分布を形成するための、そのようなＬＥＤ光源モジュールは公知である。
【０００４】
車両前照灯構造においては、いわゆる部分光分布がますます興味の対象となりつつあり、あるいはなっている。このような部分光分布では、（全体）光分布の１つの特定部分だけが道路に投影されるか、または（全体）光分布の一部分が「フェードアウト」され、これにより光分布の残りの部分だけが道路上で可視となる。
【０００５】
このような部分光分布は、たとえば特定の領域を所期のように照明し、しかし好ましくは光像内の領域をフェードアウトするのに適する。たとえば対向交通がある場合でも、さらにハイビームにより走行することができ、対向車がちょうど存在するそれぞれの領域だけがハイビーム分布から「フェードアウト」される。
【０００６】
したがって別個に制御可能な複数のＬＥＤ光源を使用することにより、いわゆる部分光分布、たとえば部分ハイビーム分布も形成することができる。
【０００７】
しかし、個々のＬＥＤ光源がそれらの光をそれぞれ固有の光導体を介して（および引き続き共通の投影レンズを介して）道路に投影することにより、部分光分布の場合には明るい領域と暗い領域との間に先鋭な（垂直方向の）移行を形成することが困難である、ないし殆ど不可能であるという問題が生じる。
【０００８】
全光分布（全体光分布）、とりわけ完全ハイビームの場合、個々の部分光像の良好な重なり合いを実現することが困難である。しかしそのような良好な重なり合いは、光分布における高い最大値および良好な均一性に対して必要である。
【発明の概要】
【発明が解決しようとする課題】
【０００９】
課題は、上記の問題がもはや発生しないか、または少なくとも格段に改善された、改良型のＬＥＤ投影モジュールを提供することである。
【課題を解決するための手段】
【００１０】
この課題は、冒頭に述べたＬＥＤ投影モジュールにおいて、本発明により、個々のＬＥＤ光源に対する光導体が水平方向に横に並んで配置されており、直接互いに相接し、または好ましくは１つの共通の全体光−光導体を形成し、これにより隣接する光導体間で光が漏れ込むことができ、個々の光出射面は並置されており、かつ１つの全体光−光出射面を形成し、前記全体光−光出射面内では個々の光出射面の間に１つまたは複数の凹部が設けられており、当該凹部はそれぞれ前記全体光−光出射面の高さ広がりの少なくとも一部分に亘って延在している、ことにより解決される。
【００１１】
全体−光出射面における凹部の構成により、この全体−光出射面が複数の部分領域に分割される。全ての部分領域が「作動されて」いれば、光出射面全体が照明し、光像中にスリットが可視となることはない。このスリットによりとりわけ個々の部分領域が光像中で先鋭に互いに画定され、これにより部分領域が非作動になる際に、他の照明する部分領域からの散乱光が、光像の照明されない領域において障害的作用を及ぼすことはない。
【００１２】
単数または複数の凹部は、全体光出射面内のスリットであり、これらのスリットは好ましくはそれらスリットにおいて、そこで出射する光に対する全反射が発生し、これによりスリットを通って光が隣接する光導体に入り込むことができないように構成されている。
【００１３】
ここで「共通の」全体光−光導体とは、基本的にただ１つの光導体が設けられており、この光導体が複数の別個の光導体「セグメント」（個々の光導体）を有し、この光導体「セグメント」が共通の領域で合流することであると理解すべきである。実際には、好ましくは１つのピースから形成され、互いに結合された光学系である。
【００１４】
ここで通常、全体光−光出射面は、モジュールの光軸、すなわち投影レンズの光軸に対して垂直の面内にある。ここで全体光−光出射面（およびもちろん個々の光出射面も）は通常、投影レンズの焦点を含み、レンズの光軸に対して垂直の（垂直）面内にあるか、または焦点の近傍に延在する面内にある。
【００１５】
しかし光分布、たとえばハイビーム分布を光像中で上方に向かって良好に延在させるために、（平坦な）全体光−光出射面が光軸に対して斜めに延在するようにすることも、または全体光−光出射面がまったくフリーフォーム面の形状（たとえば（投影）レンズの焦点曲線に適合された面）に構成されていることも可能である。
【００１６】
理想的には平坦な全体光−光出射面は、フリーフォーム面の場合に有利であるように投影レンズの焦点を通って延在する。
【００１７】
しかし光出射面を所期のようにデフォーカスさせ、このようにして明暗移行部の鋭さを調整し、色収差の作用をこのようにして調節することもできる。
【００１８】
具体的な実施形態では、少なくとも１つの光導体を備える中央光導体群が設けられており、この中央光導体群の左と右には、さらにそれぞれ１つの左光導体群と右光導体群が設けられており、この左および／または右光導体群がそれぞれ、ＬＥＤ光源の割り当てられた少なくとも１つの光導体を含む。
【００１９】
それぞれ（部分光）光出射面を形成するこの光導体群の各々が固有の部分光像を形成し、これにより全部で３つの部分光像を形成することができる。
【００２０】
好ましくは、中央光導体群はちょうど１つの光導体を含む。
【００２１】
同様に左および／または右光導体群がそれぞれちょうど１つの光導体を含むことが有利である。
【００２２】
さらに中央光導体群の中央光導体の少なくとも１つのＬＥＤ光源の光が、前記中央光導体から、とりわけ前記中央光導体の光入射面からモジュールの光軸に対して実質的に平行に向けられるようにすることできる。
【００２３】
さらに側方光導体群の少なくとも１つのＬＥＤ光源が、光を０°とは異なる角度の下でモジュールの光軸に向け、所属の光導体に供給することができる。
【００２４】
このことは、所望の寸法のコンパクトな全体光−光出射面が達成され、しかし同時にＬＥＤ光源を取り付けるための十分な構造空間が確保されるという利点を有する。
【００２５】
凹部の所望の効果を光出射面の垂直方向広がり全体に亘り可及的に得るために、２つの光出射面の間にある凹部は、並置された光導体の下方境界面から、ないし全体光−光出射面の下方境界面から上方に向かって離れるように延在する。
【００２６】
上記の意味で、２つの光出射面の間にある凹部が、並置された光導体の上方境界面まで、ないし全体光−光出射面の上方境界面まで完全に延在することも合目的的である。
【００２７】
しかし、２つの光出射面の間にある凹部が、並置された光導体の上方境界面まで、ないし全体光−光出射面の上方境界面まで完全には延在せず、これにより並置された光導体ないし全体光−光導体の上方領域に連続したエッジが得られるようにすることもできる。この構成は、さらに下で説明するように、モジュールによってフェードアウトされた光分布、たとえばロービーム分布を付加的に形成すべき場合に有利であり、この場合、全体光導体の上方の連続したエッジが、光像中に（連続した）明暗境界を形成するために使用される。
【００２８】
さらに凹部が前方領域に、すなわち光出射面の領域に規定の幅を有し、この規定の幅は好ましくは凹部の全高に亘って一定であり、凹部が後方に向かって光出射面から離れる方向に先細になっていると合目的的である。
【００２９】
とりわけ凹部を画定する壁が重なって延在し、好ましくは１つの尖ったエッジに合流すると好適である。
【００３０】
さらに内側の壁、すなわち中央光導体群に向いた凹部の壁が平坦に構成されており、好ましくは垂直面として構成されていることができる。
【００３１】
さらに、凹部の外側の壁が湾曲して構成されており、好ましくは内側の壁から離れるように湾曲することができる。
【００３２】
ここで一般的に好ましくは、凹部を、すなわちその形状および／または後方へのその広がりの長さを、右／左光導体群ないし少なくとも１つの右／左光導体からの光が、左／右光導体群ないし少なくとも１つの左／右光導体に入り込むことができないように（単数ないし複数）光出射面から離れるよう構成することができる。
【００３３】
右光導体からの光は左光導体と中央光導体との間の凹部／スリットで（すなわち直線状の壁で）全反射され、したがって中央光導体（ないし中央光導体群）を介して出射する。対応することが左光導体からの光に対しても当てはまり、この光は、右光導体と中央光導体との間の凹部／スリットで全反射され、中央光導体を介してモジュールから出射する。
【００３４】
このようにして光像中に先鋭な垂直方向の明暗境界を形成することができる。
【００３５】
刻み目ないし凹部の深さは、側方ＬＥＤ光源からの光が外側の対向する光導体に達することができないように選択される。
【００３６】
さらに中央光導体に対する光入力結合箇所が、光出射面の方向に、側方ＬＥＤ光源からの光が凹部を通過して達することができないように前に引き出され、構成されていることが合目的的である。
【００３７】
具体的には、全体−光導体が光出力結合面とは反対側のその裏側において、光線が外側光源から別の外側ＬＥＤ光源に割り当てられた光出力結合面を通って出射することができないように構成することができ、好ましくは裏側凹部が設けられており、この裏側凹部は、別の外側ＬＥＤ光源に割り当てられた光導体に達することとなる外側ＬＥＤ光源の光をブロックする。
【００３８】
たとえばそのために全体光導体が中央で光出射面の方向に、前側凹部を通過して外側光導体に達することができる光をブロックするように前に引き出されており、この光導体に割り当てられていない外側光源から発する光はブロックされ、場合により反射される。
【００３９】
変形実施形態では、この前に引き出された領域が全体光導体の中央で、中央ＬＥＤ光源に対する光入力結合箇所として構成されている。
【００４０】
スリットにより、全ての光成分の重なり合いの中に、スリット領域には不所望の不均一性を備えるハイビームが生じる。湾曲した壁を使用することにより、これを光学的条件に相応に適合することができ、これにより不均一性を阻止することができ、または少なくとも減衰することができる。
【００４１】
さらなる変形実施形態では、凹部を、すなわちその形状および／または後方へのその広がりの長さを、（単数ないし複数）光出射面から離れる方向に、中央光導体群ないし少なくとも１つの中央光導体からの光が、左光導体群ないし右光導体群または少なくとも１つの左ないし右光導体に入り込むことができないよう構成することができる。
【００４２】
とりわけこの場合、（単数または複数）凹部との共同作用で、光線が側方光導体に入り込むことができないように、中央ＬＥＤ光源に対する光入力結合箇所が相応に構成されており、たとえば相応に湾曲されていることに注意すべきである。
【００４３】
この場合、中央光導体群も部分光分布に対して使用することができ、対向車がすでに通過した場合にはこの対向車を幻惑することなく、中央光導体群ないし中央光導体をスイッチオンすることができる。
【００４４】
具体的な実施形態では、光導体ないし全体光−光導体によってハイビーム分布ないし部分ハイビーム分布を形成することができる。
【００４５】
さらに、個々のＬＥＤ光源は互いに独立して制御可能であり、対応してスイッチオン／オフ可能であり、場合により減光も可能である。ＬＥＤ光源の各発光ダイオードが同様に個別にも制御可能であることも有利であり得る。
【００４６】
冒頭ですでに述べたように、本発明のモジュールによってフェードアウトした光分布、たとえばロービーム分布もさらに付加的に形成できるようにするため、さらに、光導体ないし全体光−光導体の上部に少なくとも１つのＬＥＤ光源を配置することができる。そして、このＬＥＤ光源が光を少なくとも１つの光学系、たとえば少なくとも１つの反射器に放射し、少なくとも１つの光学系、たとえば少なくとも１つの反射器から放射された光が投影レンズの下方領域に照射され、全体光−光出射面を画定する上方エッジが明暗境界として光像中に結像されるようにする。
【００４７】
たとえば反射器、レンズの形態の光学系、または好ましくは光導体として構成された（たとえば反射器の形態を備える、またはオーストリア特許第５０４５０５号に示されたような）一次光学系等により、割り当てられたレンズの焦点面にロービーム分布が結像され、このロービーム分布がレンズによって車両前方に結像される。
【００４８】
ここではたとえば、それぞれ１つの反射器が割り当てられた２つのＬＥＤ光源が設けられている。
【００４９】
光導体ないし全体光−光導体の上側および／または下側が、少なくとも領域的に光反射性に構成されていると有利である。
【００５０】
たとえば上側および／または下側には、たとえば鏡面層が被覆され、たとえば蒸着されている。
【００５１】
ここで下側／上側は、先鋭な明暗ラインを得るために、たとえば後方領域を反射性に、エッジを吸収性に構成することができる。
【００５２】
このようにして光損失が回避され、ないし回避することができ、２つの異なる光分布が形成される場合に、これらの光分布が漏出する光によって互いにネガティブに影響し合うことが回避される。
【００５３】
光分布の経過に関しては、好ましくはロービーム分布のための明暗境界を形成するエッジが形成されており、法に則したロービーム分布を形成するために対応する部分を有する。
【００５４】
冒頭にすでに述べたように本発明は、上記モジュールを１つまたは好ましくは複数備える前照灯にも関するものである。
【００５５】
好ましくはこのような前照灯において、少なくとも１つのモジュール、好ましくは全てのモジュールが、実質的に垂直軸周りに旋回可能である。
【００５６】
全てのモジュールが旋回可能である場合、旋回軸は理想的にはモジュールの重心を通って延在する。したがって必要な力は最小であり、振動等が僅かにしか作用しない。
【００５７】
１つまたは複数の可動のモジュールによって、光像中の部分領域を静的に「切り出す」ことができるだけでなく、この切り出された部分領域を、モジュールの旋回によっても垂直軸周りに旋回することができる（それぞれ旋回されたモジュールが形成する全体光像により）。これにより、切り出された光部分を、対向車または先行車両の動きに応じて追従案内することができる。
【００５８】
しかし安価な実施形態では旋回を行わない、または設けないこともできる。それにもかかわらずこれにより、自動化したハイビームを、部分領域の静的なフェードアウトができない場合よりも格段に早期に再作動することができる。
【００５９】
モジュール全体を旋回する代わりに、１つまたは複数のモジュールの投影レンズをそれぞれ１つの垂直軸周りに旋回可能にすることもできる。
【００６０】
ここでは軸が、投影レンズの焦点ラインの近傍に延在すると、好ましくは投影レンズの焦点を通って延在すると光学的に理想的である。
【００６１】
以下、本発明を図面に基づき詳細に説明する。
【図面の簡単な説明】
【００６２】
【図１】破線で示されたレンズを備えたＬＥＤ光モジュールの正面概略図である。
【図２】図１のモジュールを上から見た図である。
【図３】図１のモジュールの側面図である。
【図４】図２のラインＡ−Ａに沿った断面図である。
【図５】図１のラインＢ−Ｂに沿った断面図である。
【図５ａ】凹部の領域の光導体の詳細図である。
【図６】２つの外側光導体により形成された光分布を示す図である。
【図７】光出射方向で見て左の部分光導体により形成された光分布を示す図である。
【図８】光出射方向で見て右の部分光導体により形成された光分布を示す図である。
【図９】光出射方向で見て中央の部分光導体により形成された光分布を示す図である。
【図１０】前照灯により形成された光分布（ロービーム＋部分ハイビーム）を示す図である。
【図１１】ハイビーム（全体ハイビーム）の光分布を示す図である。
【図１２】本発明による２つの前照灯により形成された適合型ハイビームを例として示す図である。
【発明を実施するための形態】
【００６３】
図１から５は、本発明のＬＥＤ投影モジュール１を示す。モジュール１は全体光−光導体１００から形成され、この全体光−光導体を以下、光導体本体１００と称する。この光導体本体１００には、それぞれ１つまたは複数の発光ダイオードから成る３つのＬＥＤ光源２，３，４（図２）から対応する光結合箇所２１，３１，４１（図５）を介して、光が入力結合される。光入力結合箇所は、たとえば光を視準化する入力結合箇所である。すなわち、それぞれのＬＥＤ光源が配置されており、光を視準化するために球体シェルによって取り囲まれた、いわば開口部である。光は光導体本体１００から光出力結合箇所２２，３２，４２を介して再び出射し、出射した光は投影レンズ９０によって外部空間へ、光分布を形成するために、具体例ではハイビーム分布または部分ハイビーム分布を形成するために投影される。
【００６４】
このＬＥＤ光源２，３，４によってハイビーム分布ないし部分ハイビーム分布が形成される。さらに個々のＬＥＤ光源は、互いに独立して制御可能であり、対応してスイッチオン／オフ可能であり、場合により減光も可能である。ＬＥＤ光源の各発光ダイオードが同様に個別にも制御可能であることも有利であり得る。
【００６５】
光出力結合箇所２２，３２，４２は、それぞれ１つの光導体２０，３０，４０に形成されており、これら３つの光導体が共に１つの光導体本体１００を形成する。ここで図示の好ましい本発明の実施形態では、３つの光導体２０，３０，４０が１つのピースから形成されている。
【００６６】
個々のＬＥＤ光源２，３，４に対する光導体２０，３０，４０は、水平方向に横に並んで配置されており、直接互いに相接し、上にすでに述べたように好ましくはワンピースの全体光−光導体１００を形成する。したがって隣接する光導体２０，３０，４０間で光が漏れ込むことができる。
【００６７】
個々の光出射面２２，３２，４２は並置されており、かつ１つの全体光−光出射面１１０を形成する。この全体光−光出射面１１０内では、個々の光出射面２２，３２，４２の間に凹部２０１，２０２が設けられており、当該凹部はそれぞれ全体光−光出射面１１０の高さ広がり（すなわち垂直方向）の少なくとも一部分に亘って延在している。
【００６８】
ＬＥＤ光源４から放射された光は、中央光導体４０の光入射面４１から、図示の例ではモジュール１の光軸に対して実質的に平行に向けられる。
【００６９】
それぞれ側方の光導体２０，３０の少なくとも１つのＬＥＤ光源２，３は、図示の例では、０゜とは異なる角度の下でモジュールの光軸ｘに向けられ、そして光を所属の光導体２０，３０に供給する（図２）。
【００７０】
このことの利点は、所望の寸法のコンパクトな全体光−光出射面１００が達成され、しかし同時にＬＥＤ光源を取り付けるための十分な設置空間が確保されることである。
【００７１】
ここでＬＥＤ光源は冷却体２００（図２）の上に配置されている。さらに下で詳細に説明するロービーム分布を形成するために使用されるＬＥＤ光源５，６も同様に、この冷却体２００の上に取り付けられている。
【００７２】
本発明の一側面では、３つ全てのＬＥＤ光源２，３，４がスイッチオンされている全体光−光分布（たとえばハイビーム−光分布）の他に、部分光−光分布、この例では部分ハイビーム−光分布も形成され、この部分ハイビーム光分布では、たとえば１つのＬＥＤ光源だけが、または全てではないＬＥＤ光源が作動される。ここで、作動中の他のＬＥＤ光源からの妨害光無しで、垂直に先鋭に画定された部分ハイビームを得るために、凹部２０１，２０２が設けられている。
【００７３】
凹部の所望の効果を光出射面の垂直方向広がり全体に亘り可及的に得るために、２つの光出射面３２，４２；２２，４２の間にある凹部は、全体光−光出射面１００の下方境界面１３０から直接上方に向かって離れるように延在する。
【００７４】
図示の変形実施形態では、２つの光出射面３２，４２；２２，４２の間にある凹部２０１，２０２が、全体光−光導体１００の上方境界面１２０まで完全には伸張しておらず、これにより全体光−光導体１００の上方前方領域には連続するエッジ１２１が生じる。この構成は、さらに下で説明するように、モジュールによってフェードアウトされた光分布、たとえばロービーム分布を付加的に形成すべき場合に有利であり、この場合、全体光導体の上方の連続するエッジ１２１が、ロービームの光像中に（連続した）明暗境界を形成するために使用される。
【００７５】
さらに凹部２０１，２０２が前方領域に、すなわち光出射面２２，３２，４２；１１０の領域に規定の幅を有し、この規定の幅が好ましくは凹部２０１，２０２の全高に亘って一定であると、合目的的である。凹部２０１，２０２は、後方に向かって光出射面２２，３２，４２；１１０から離れる方向に先細になっている。
【００７６】
とりわけ図５ａによく示されているように、凹部２０１，２０２を画定する壁２０１’，２０１”；２０２’，２０２”が重なって延在し、好ましくはそれぞれ１つの尖ったエッジ２０１’”，２０２’”に合流すると好適である。
【００７７】
内側の壁２０１”，２０２”、すなわち中央光導体群に向いた側の凹部２０１，２０２の壁は平坦に構成されており、好ましくは垂直面として構成されている。しかし基本的に、これらの壁が湾曲して構成されていることも考えられる。これら側面に対する条件は、側面が対向するＬＥＤ（２または３）の光線に対して全反射性に構成されていることである。
【００７８】
凹部２０１，２０２の外側の壁２０１’，２０２’は湾曲して構成されており、好ましくは内側の壁２０１”，２０２”から離れるように湾曲している。
【００７９】
一般的に凹部２０１，２０２は、すなわちその形状および／または後方へのその広がりの長さは、右／左光導体２０，３０からの光が、左／右光導体３０，２０に入り込むことができないよう全体光出射面から離れるように構成されている。
【００８０】
図５は、ＬＥＤ光源３の右光導体３０からの優良な光線Ｓを示し、この光線Ｓは凹部２０２が無ければ、Ｓ’として左光導体２０に入り込み、光出射面２２を介して出射することとなる。部分ハイビームの場合（すなわち、ＬＥＤ光源２が遮断され、場合によりＬＥＤ光源４が遮断される）、光が光出射面２２を介して出射し、部分ハイビームを阻害ないし破壊することとなる。
【００８１】
しかし右光導体からの光は、左光導体と中央光導体との間の凹部／スリット２０２で（すなわち直線状の壁２０２”で）全反射され、したがって中央光導体を介して出射する（光線Ｓ”）。対応することが左光導体からの光に対しても当てはまり、この光は、右光導体と中央光導体との間の凹部／スリットで全反射され、中央光導体を介してモジュールから出射する。
【００８２】
このようにして、左／右ＬＥＤ光源および場合により中央ＬＥＤ光源が遮断される場合に、光像中に先鋭な垂直方向の明暗境界を形成することができる。
【００８３】
刻み目ないし凹部の深さは、側方ＬＥＤ光源からの光が外側の対向する光導体に達することができないように選択される。
【００８４】
加えてさらに、中央光導体４０に対する光入力結合箇所４１が、光出射面の方向に、側方ＬＥＤ光源からの光が凹部を通過して達することができないように前に引き出され、構成されていると合目的的である。ここで好ましくは、光入力結合箇所４１は湾曲しており、たとえばＬＥＤ光源４から離れるように湾曲して構成されている。したがって凹部７０は全体光導体１００の裏側に形成される。図示の例で光入射面４１は、ＬＥＤ光源の光を平行に向けるレンズとしてさえも作用する。
【００８５】
スリットによって、全ての光成分の重なり合いの中に、スリット領域内には不所望の不均一なハイビームが生じる。湾曲した壁２０１’，２０２’を使用することにより、これを光学的条件に相応に適合することができ、これにより不均一性を回避することができ、少なくとも減衰することができる。
【００８６】
中央ＬＥＤ光源４は、光像中に最大値を形成するためにそこに設けられている。これは図示の場合である。このためにＬＥＤ光源４の光入力結合箇所は、光線が実質的に平行に向けられて、光最大値が光分布の中央に形成されるよう構成されている（図９参照）。
【００８７】
しかしこれは強制的ではない。もちろん、放射される光の一部分だけ、好ましくは光の中央の光強度の強い部分だけが最大値を形成し、放射される光の側方領域は幅に寄与するように入力結合箇所を構成することも考えられる。この場合は図面に示されていない。
【００８８】
図５は、第１に引用した場合に対して適合されており、したがってＬＥＤ光源４の光線路がここでは少し補正される。
【００８９】
別の図示しない変形実施形態では、凹部を、すなわちその形状および／または後方への広がりの長さを、（単数ないし複数）光出射面から離れる方向に、中央光導体群ないし少なくとも１つの中央光導体４０からの光が、左光導体群ないし右光導体群または少なくとも１つの左ないし右光導体２０，３０に入り込むことができないよう構成することができる。
【００９０】
とりわけこの場合、（単数または複数）凹部との共同作用で、光線が側方光導体へ入り込むことができないように中央ＬＥＤ光源に対する光入力結合箇所が相応に構成されており、たとえば相応に湾曲されていることに注意すべきである。
【００９１】
この場合、中央光導体群も部分光分布に対して使用することができ、中央光導体群ないし中央光導体は、対向車が既に通過した場合にはこの対向車を幻惑することなく、スイッチオンすることができる。
【００９２】
冒頭に既に述べたように、本発明のモジュールによってフェードアウトした光分布、たとえばロービーム分布もさらに付加的に形成することができるようにするため、さらに、全体光−光導体１００の上方に少なくとも１つ、好ましくは２つ以上のＬＥＤ光源５，６を配置することができ、これらのＬＥＤ光源は光を少なくとも１つ、好ましくは２つの反射器７，８ないし光学系に放射する。反射器７，８から放射された光は、投影レンズ９０の下方領域に照射され（図４）、全体光−光出射面１１０を画定する上方エッジ１２１が明暗境界としてロービームの光像中に結像される。
【００９３】
図面に示された実施形態では反射器７，８が使用される。しかし基本的に反射器の代わりに他の適切な任意の（一次）光学系を使用することができる。
【００９４】
全体光−光導体１００の上側１２０および／または下側１３０が、光反射性に構成されていると有利である。
【００９５】
たとえば上側および／または下側は、たとえば鏡面層が被覆され、たとえば蒸着されている。
【００９６】
このようにして光損失が回避され、ないし回避することができ、２つの異なる光分布が形成される場合に、これらの光分布が、漏出する光によって互いにネガティブに影響し合うことが回避される。
【００９７】
光分布の経過に関しては、ロービーム分布のための明暗境界を形成するために、好ましくはエッジ１２１が形成されており、法に則したロービーム分布（これらは図１０〜１２に破線により示されている）を形成するために対応する部分を有する。
【００９８】
車両前照灯は、１つまたは好ましくは複数の上記モジュールから構成される。
【００９９】
好ましくはこのような前照灯において、少なくとも１つのモジュール、好ましくは全てのモジュールが、実質的に垂直軸周りに旋回可能である。
【０１００】
１つまたは複数の可動のモジュールによって、光像中の部分領域を静的に「切り出す」ことができるだけでなく、この切り出された部分領域を、モジュールの旋回によっても垂直軸周りに旋回することができる（それぞれ旋回されたモジュールが形成する全体光像により）。これにより、切り出された光部分を、対向車または先行車両の動きに応じて追従案内することができる。
【０１０１】
しかし安価な実施形態では旋回を行わない、または設けないこともできる。それにもかかわらずこれにより、自動化したハイビームを、部分領域の静的なフェードアウトができない場合のように格段に早期に再作動することができる。
【０１０２】
モジュール全体を旋回する代わりに、１つまたは複数のモジュールの投影レンズをそれぞれ１つの垂直軸周りに旋回可能にすることもできる。
【０１０３】
ここで、旋回軸が投影レンズの焦点を通って延在すると光学的に理想的である。
【０１０４】
図６は、ＬＥＤ光源モジュールの左右の光導体２０，３０から組み合わされた光像を示す。この光像は、法に則したハイビームを形成するのにすでに十分であり得、中央にある所要の最大値はこの領域における光像の重なり合いによって達成される。したがって最小の構成では、モジュールは１つの左ＬＥＤ光源と１つの右ＬＥＤ光源だけを有する。
【０１０５】
任意で、図面に示すように最大値を、全体−光導体の中央にある第３のＬＥＤ光源４によって高めることができる。
【０１０６】
図７は、本発明のＬＥＤ光源モジュールの左光導体により形成された部分光像を、図８は、右光導体により形成された部分光像を、図９は、中央光導体により形成された光像を示す。
【０１０７】
図１０は、前照灯全体により形成された光分布を示す。ここで図１０は具体的には、前照灯の個々のモジュールの２つのＬＥＤ光源５，６により形成されたロービーム分布（概略的に破線により示されている）、並びに対応するＬＥＤ光源モジュールの右光導体により形成され重ね合わされた部分ハイビームを示す。
【０１０８】
図１１は、２つの前照灯により形成された全体ハイビーム分布をロービーム分布と共に示す。すなわち、全てのＬＥＤ光源２，３，５，６と任意でＬＥＤ光源４も作動している際の光分布である。
【０１０９】
最後に図１２は、本発明による２つの前照灯により形成される適合型ハイビームを示す。ここで２つの前照灯は、モジュール１に関して図１〜５に示されるように同じ構造を有する。
【０１１０】
図１２に示された光分布は、左前照灯においてＬＥＤ光源３（そして任意でＬＥＤ光源４）が作動しており、モジュールまたはそれらのレンズが左に旋回されていることによって生じる。
【０１１１】
基本的に各前照灯は、少なくとも１つ、通常は複数のモジュールから成る。ここで全てのモジュールは固定とすることができる。または１つのモジュールのみが、もしくは多くのモジュール（ないしはそれらのレンズ）が旋回可能であり、他のモジュールは固定的に配置することができる。好ましくは全てのモジュール（レンズ）は旋回可能である。
【０１１２】
ロービームユニットがハイビームユニットとは（図面の図示とは異なり）別個の場合、ロービームは旋回しないままにし、ハイビーム（部分ハイビーム）だけが対向車に追従、ないしこれに適合することができる。このような解決策は、とりわけ図に示したものよりも高価である。
【０１１３】
右前照灯では、モジュールのＬＥＤ光源２（すなわち左ＬＥＤ光源）が作動しており（並びに任意でＬＥＤ光源４、すなわち中央のＬＥＤ光源）、ここでモジュールまたはレンズは、場合により軽く左に連行／旋回することができ、または固定のまま留まる。
【０１１４】
対向交通で複数の車両が到来する場合、対向交通の際にその左に発生する全ての光分布をフェードアウトする必要が生じることがある。この場合、左前照灯において左ＬＥＤ光源２（そして任意で中央ＬＥＤ光源４）は作動させ、その光像を場合により旋回によって連行し、右前照灯においても同様に左ＬＥＤ光源２（そして任意で中央ＬＥＤ光源４）は作動させることになる。
【０１１５】
基本的に、２つの前照灯により形成される種々の部分光分布を任意に作動することにより、および場合により個々のモジュールの光像を旋回することにより、それぞれの交通状況（対向交通および／または自車の道路側の交通、車両数、対向車の位置．．．）に理想的に応答することができる。
【０１１６】
上に既に述べた複数のモジュールを使用する場合、たとえば１つ（またはレンズ）を旋回可能に構成することができ、別の１つまたは複数のモジュールは静止する。したがって右のモジュールは固定したままであり（または固定されており）、右の道路縁部を照明し（右側交通の場合）、左のモジュールは対向車と共に旋回する。
【図１】
0005939491.tif 000002
【図２】
0005939491.tif 000003
【図３】
0005939491.tif 000004
【図４】
0005939491.tif 000005
【図５】
0005939491.tif 000006
【図５ａ】
0005939491.tif 000007
【図６】
0005939491.tif 000008
【図７】
0005939491.tif 000009
【図８】
0005939491.tif 000010
【図９】
0005939491.tif 000011
【図１０】
0005939491.tif 000012
【図１１】
0005939491.tif 000013
【図１２】
0005939491.tif 000014